(57)【要約】【課題】複数の電子機器がネットワークにより接続され、該ネットワークの中心に位置し、時計機能を備えていない映像信号処理装置において、この映像信号処理装置と接続されている他の電子機器が放送波などから時刻情報を取得する機能を搭載しているときに、この電子機器から時刻情報を取得し、時計機能を搭載しない映像信号処理装置に時刻を表示する映像信号処理装置、時刻表示システム、及び映像信号処理装置の時刻表示方法を提供する。【解決手段】デジタルＴＶ１０は、マイコン１１６、時刻情報取得部１１７、アドレステーブルが記憶されているフラッシュメモリ１１９、ＣＥＣ-Ｉ／Ｆ１２４から構成され、デジタル装置１０５は、マイコン１０５ａ、時刻情報送信部１０５ｂ、時刻情報入力部１０５ｃ、クロックカウント処理部１０５ｄ、ＣＥＣ-Ｉ／Ｆ１０５ｆから構成されている時刻表示システム。【選択図】図４
2010019709.tif 000002
【特許請求の範囲】
【請求項１】
複数の電子機器がネットワークにより接続され、該ネットワークの中心に位置し、時計機能を備えていない映像信号処理装置であって、
前記複数の電子機器のうち、時刻情報を入力する時刻情報入力装置を備えた電子機器の前記時刻情報入力装置から時刻情報を取得する時刻情報取得手段と、
取得した前記時刻情報に基づいて表示手段に時刻を表示する時刻表示手段と、
を備えたことを特徴とする映像信号処理装置。
【請求項２】
当該映像信号処理装置と前記時刻情報入力装置の間はＨＤＭＩケーブルで接続されていることを特徴とする請求項１に記載の映像信号処理装置。
【請求項３】
当該映像信号処理装置と前記時刻情報入力装置は、接続ルートに基づいて物理アドレスが決定されていることを特徴とする請求項１又は請求項２のいずれか一項に記載の映像信号処理装置。
【請求項４】
前記物理アドレスが設定されているアドレステーブルを記憶する手段を備えていることを特徴とする請求項３に記載の映像信号処理装置。
【請求項５】
前記時刻情報取得手段は、前記物理アドレスに基づいて時刻情報取得要求コマンドを前記時刻情報入力装置に送信するコマンド送信手段を備えていることを特徴とする請求項３又は請求項４のいずれか一項に記載の映像信号処理装置。
【請求項６】
前記時刻情報取得手段は、前記時刻情報入力装置から前記物理アドレスに基づいて送信される時刻情報取得応答コマンドを受信するコマンド受信手段を備えていることを特徴とする請求項５に記載の映像信号処理装置。
【請求項７】
前記時刻情報取得手段は、リモコンから時刻表示要求の信号を受信したときに、前記コマンド送信手段が前記時刻情報取得要求コマンドを送信することを特徴とする請求項５または請求項６のいずれか一項に記載の映像信号処理装置。
【請求項８】
当該映像信号処理装置の電源を制御する電源制御手段を備え、
前記時刻情報取得手段は、前記電源制御手段が当該映像信号処理装置の電源をオンしたときに、前記コマンド送信手段が前記時刻情報取得要求コマンドを送信することを特徴とする請求項５または請求項６のいずれか一項に記載の映像信号処理装置。
【請求項９】
前記コマンド送信手段は、前記時刻情報を受信するまで予め設定されている順番で前記時刻情報取得要求コマンドを前記時刻情報入力装置に送信することを特徴とする請求項５から請求項８のいずれか一項に記載の映像信号処理装置。
【請求項１０】
当該映像信号処理装置はデジタル放送受信装置であることを特徴とする請求項１から請求項９のいずれか一項に記載の映像信号処理装置。
【請求項１１】
請求項１から請求項１０の前記映像信号処理装置に前記時刻情報入力装置が接続された時刻表示システムにおいて、
前記時刻情報入力装置は、
前記時刻情報を入力する時刻情報入力手段と、
入力した前記時刻情報を更新する時刻情報更新手段と、
前記映像信号処理装置からの時刻情報取得要求に応答して前記時刻情報更新手段で更新された時刻情報を前記映像信号処理装置に送信する時刻情報送信手段を備えていることを特徴とする時刻表示システム。
【請求項１２】
複数の電子機器がネットワークにより接続され、該ネットワークの中心に位置し、時計機能を備えていない映像信号処理装置の時刻表示方法であって、
前記複数の電子機器のうち、時刻情報を入力する時刻情報入力装置を備えた電子機器の前記時刻情報入力装置から時刻情報を取得する時刻情報取得手段の時刻情報取得工程と、
前記時刻情報取得工程によって取得された前記時刻情報に基づいて前記映像信号処理装置の表示手段に時刻を表示する時刻表示工程と、
を実行することを特徴とする映像信号処理装置の時刻表示方法。
【発明の詳細な説明】
【技術分野】
【０００１】
本発明は、時計機能を備えていない映像信号処理装置に時刻を表示する映像信号処理装置、時刻表示システム、及び映像信号処理装置の時刻表示方法に係り、特にこの映像信号処理装置と接続されている他の電子機器が放送波などから時刻情報を取得する機能を搭載しているときに、この電子機器から時刻情報を取得し、時計機能を搭載しない映像信号処理装置に時刻を表示する映像信号処理装置、時刻表示システム、及び映像信号処理装置の時刻表示方法に関する。なお、本発明において時計機能を備えていない映像信号処理装置とは、時計機能専用の回路やクリスタル(水晶)で構成される時計機能専用モジュールを持たない映像信号処理装置をいう。
【背景技術】
【０００２】
一般にデジタル放送受信装置(以下デジタルＴＶという)は内部に時計機能専用モジュールを持ち、時刻を更新するために、時刻情報を取得する機能を搭載するか、またはデジタルチューナを搭載してデジタルチューナから時刻情報を取得している。しかし、デジタルＴＶを低価格とするために時計機能そのものを持たないか、時計機能を持っていても時刻情報を取得する機能やデジタルチューナを搭載しないＣＤプレーヤ、ＤＶＤプレーヤ、デジタルＶＴＲ、デジタルＴＶなどの映像信号処理装置がある。このような映像信号処理装置では、時刻情報を保持していない、あるいは正確な時刻情報を保持していないので、時刻を表示することができないか、表示できても正確に表示できない。
【０００３】
このような時刻情報を取得する機能やデジタルチューナを搭載しない映像信号処理装置に対し、ネットワークに接続された他の電子機器から時刻情報を取得し、ネットワーク上の各電子機器の時刻を統一的に管理しようとするものがある。この従来技術として特開２００１−２９８４６５号公報（特許文献１）を挙げることができる。特許文献１に開示の技術では、複数の電子機器を制御するための制御情報を当該各電子機器から取得した後、当該取得された制御情報に基づき、複数の電子機器が時刻設定機能を有しているか否かの判別を行い、その結果、時刻設定機能を有していると判別された各上記電子機器に対し、取得された時刻情報を設定するようにしたことにより、ネットワーク上に接続されている電子機器がネットワークを介して時刻情報を取得する機能を有していない場合であっても、当該電子機器の時刻を時刻情報に基づく時刻に設定できる。
【特許文献１】特開２００１−２９８４６５号公報
【発明の開示】
【発明が解決しようとする課題】
【０００４】
しかしながら、特許文献１に開示の技術では、時刻設定機能を有していない電子機器に対しては時刻を設定することができない。デジタルＴＶを中心に、ＣＤプレーヤ、ＤＶＤプレーヤ、デジタルＶＴＲなどの外部接続機器をＨＤＭＩ規格に適応したＨＤＭＩケーブルによって相互接続して、これら電子機器を総合的に制御しようとするシステムが構築され、ＣＥＣ機能により統一的に制御される場合がある。このような場合、コストダウンのため、ＣＥＣ機能を搭載していてもデジタルチューナを搭載していないデジタルＴＶが使われる場合がある。このようなデジタルＴＶでは、時刻情報の取得はおろか、時計機能そのものを持たない場合がある。ＣＥＣ機能を搭載したネットワークの中心に位置するデジタルＴＶであるにも拘わらず時刻情報を有していないことになる。このようなデジタルＴＶに対し、上記特許文献１に開示の技術を適用しても時刻を設定することができないので、デジタルＴＶの画面に時刻表示ができないという問題があった。
【０００５】
本発明はこのような状況に鑑みてなされたものであり、上記課題を解決できる映像信号処理装置、時刻表示システム、及び映像信号処理装置の時刻表示方法を提供することを目的とする。
【課題を解決するための手段】
【０００６】
本発明の映像信号処理装置は、複数の電子機器がネットワークにより接続され、該ネットワークの中心に位置し、時計機能を備えていない映像信号処理装置であって、前記複数の電子機器のうち、時刻情報を入力する時刻情報入力装置を備えた電子機器の前記時刻情報入力装置から時刻情報を取得する時刻情報取得手段と、取得した前記時刻情報に基づいて表示手段に時刻を表示する時刻表示手段と、を備えたことを特徴としている。
本発明の映像信号処理装置は、当該映像信号処理装置と前記時刻情報入力装置の間はＨＤＭＩケーブルで接続されていることを特徴としている。
本発明の映像信号処理装置は、当該映像信号処理装置と前記時刻情報入力装置は、接続ルートに基づいて物理アドレスが決定されていることを特徴としている。
本発明の映像信号処理装置は、前記物理アドレスが設定されているアドレステーブルを記憶する手段を備えていることを特徴としている。
本発明の映像信号処理装置において、前記時刻情報取得手段は、前記物理アドレスに基づいて時刻情報取得要求コマンドを前記時刻情報入力装置に送信するコマンド送信手段を備えていることを特徴としている。
本発明の映像信号処理装置において、前記時刻情報取得手段は、前記時刻情報入力装置から前記物理アドレスに基づいて送信される時刻情報取得応答コマンドを受信するコマンド受信手段を備えていることを特徴としている。
本発明の映像信号処理装置において、前記時刻情報取得手段は、リモコンから時刻表示要求の信号を受信したときに、前記コマンド送信手段が前記時刻情報取得要求コマンドを送信することを特徴としている。
本発明の映像信号処理装置は、当該映像信号処理装置の電源を制御する電源制御手段を備え、前記時刻情報取得手段は、前記電源制御手段が当該映像信号処理装置の電源をオンしたときに、前記コマンド送信手段が前記時刻情報取得要求コマンドを送信することを特徴としている。
本発明の映像信号処理装置は、前記コマンド送信手段は、前記時刻情報を受信するまで予め設定されている順番で前記時刻情報取得要求コマンドを前記時刻情報入力装置に送信することを特徴としている。
本発明の映像信号処理装置は、デジタル放送受信装置であることを特徴としている。
本発明の時刻表示システムは、前記映像信号処理装置に前記時刻情報入力装置が接続された時刻表示システムにおいて、前記時刻情報入力装置は、前記時刻情報を入力する時刻情報入力手段と、入力した前記時刻情報を更新する時刻情報更新手段と、前記映像信号処理装置からの時刻情報取得要求に応答して前記時刻情報更新手段で更新された時刻情報を前記映像信号処理装置に送信する時刻情報送信手段を備えていることを特徴としている。
本発明の映像信号処理装置の時刻表示方法は、複数の電子機器がネットワークにより接続され、該ネットワークの中心に位置し、時計機能を備えていない映像信号処理装置の時刻表示方法であって、前記複数の電子機器のうち、時刻情報を入力する時刻情報入力装置を備えた電子機器の前記時刻情報入力装置から時刻情報を取得する時刻情報取得手段の時刻情報取得工程と、前記時刻情報取得工程によって取得された前記時刻情報に基づいて前記映像信号処理装置の表示手段に時刻を表示する時刻表示工程と、を実行することを特徴としている。
【発明の効果】
【０００７】
本発明によれば、時計機能を備えていない映像信号処理装置において、この映像信号処理装置と接続されている他の電子機器が放送波などから時刻情報を取得する機能を搭載しているときに、この電子機器から時刻情報を取得し、ソフトウェア処理のみで時計機能を搭載しない映像信号処理装置に時刻を表示することができる。
【発明を実施するための最良の形態】
【０００８】
（第１の実施の形態）
本発明の第１の実施の形態は、ＨＤＭＩケーブルで接続されたネットの中心に位置したデジタルＴＶ(映像信号処理装置)が周辺機器であるＤＶＤレコーダ、ＤＶＤプレーヤなどのデジタル装置を操作するシステムを例に挙げている。ここでＨＤＭＩケーブルとはデジタル機器(以下デジタル装置という)の映像と音声を伝送できるデジタルＡＶインターフェースの汎用規格であるＨＤＭＩ規格に適応した接続ケーブルのことをいう。ユーザが時計機能を搭載しないデジタルＴＶのリモコンから時刻の表示を要求すると、このデジタルＴＶからＨＤＭＩの制御規格であるＣＥＣ（Consumer Electronics Control）機能を使用して、時刻情報取得コマンドである時刻情報取得要求コマンドを、デジタルＴＶと接続されているデジタル装置に送信する。時刻情報取得要求コマンドが送信されたデジタル装置は、ＣＥＣの時刻情報取得要求コマンドを受信すると、時刻情報取得コマンドのＣＥＣの時刻情報取得応答コマンドをデジタルＴＶに送信する。時刻情報取得応答コマンドが送信されたデジタルＴＶは、受信したＣＥＣの時刻情報取得応答コマンドから時刻情報を取り出し、この時刻情報を基に時刻をデジタルＴＶのモニタに表示する。なお、デジタルＴＶが時刻情報を取得するために問合わせるデジタル装置の順番は、まず前回時刻情報を取得したデジタル装置を最優先とし、次に予めデジタル装置ごとに設定されている優先順位によるデジタル装置とする。デジタルＴＶは、デジタル装置から時刻情報を取得できるまでこの順番に従って、デジタル装置にＣＥＣの時刻情報取得要求コマンドを送信する。デジタルＴＶが全てのデジタル装置に問合わせて時刻情報を取得できなかったときは、時刻情報取得エラーのメッセージを表示する。以下、本発明の第１の実施の形態について図面を参照して説明する。
【０００９】
本発明の第１の実施の形態であるデジタルＴＶに接続されるデジタル装置の接続図を図１に示す。図１の接続図に示すようにデジタルＴＶ１０にＤＶＤレコーダ（１）２０とオーディオシステム３０がＨＤＭＩケーブルで接続されている。デジタルＴＶ１０は、ＨＤＭＩケーブルで接続されたネットワークの中心に位置し、周辺機器を含めた操作がデジタルＴＶ１０によって行われる。また、オーディオシステム３０にはＤＶＤレコーダ（２）４０とＤＶＤプレーヤ（１）５０がＨＤＭＩケーブルで接続されている。各々の装置はＨＤＭＩケーブルで接続されているので、映像信号である映像・音声を非圧縮でＨＤＭＩ規格の論理的な回線(以下ＨＤＭＩ回線という)で送受信することができ、また時刻情報取得要求や時刻情報取得応答などを行う制御コマンドであるＣＥＣコマンドをＣＥＣ規格の論理的な回線(以下ＣＥＣ回線という)で送受信することができる。ここで、デジタルＴＶ１０は時計機能を備えていないが、ＨＤＭＩケーブルで接続された時計機能を備えている他の電子機器から時刻情報を取得して、画面に時刻を表示する機能を備えている。
【００１０】
図２に、本発明の第１の実施の形態を構成する各デジタル装置の論理アドレス、装置名称、優先順位、物理アドレスが設定されているアドレステーブルを示す。図２に示すように、論理アドレスはアドレステーブルに設定されたデジタル装置のユニークな識別番号である。装置名称は、実装されているデジタル装置の名称である。優先順位は、時刻情報を取得するための電子機器の問い合わせ順位を示す。物理アドレスは、接続ルートに従って決定されるアドレスである。以下に、物理アドレスの決定方法について説明する。物理アドレスは「ａ1．ａ２．ａ３．ａ４」の4つのアドレスから構成され、ａ１、ａ２、ａ３、ａ４の順に上位から下位のアドレスとなる。図１に示すようにデジタルＴＶ１０は、接続ルートの開始地点に位置するので物理アドレスは「０．０．０．０」となる。ＤＶＤレコーダ（１）２０とオーディオシステム３０は最上位に位置している別のデジタル装置であるので、アドレスａ１は１、２と順に設定される。この結果、ＤＶＤレコーダ（１）２０の物理アドレスは「１．０．０．０」、オーディオシステム３０の物理アドレスは「２．０．０．０」となる。ＤＶＤレコーダ（２）４０とＤＶＤプレーヤ（１）５０は、オーディオシステム３０の下位に位置するので、アドレスａ１には２、アドレスａ２には１、２と順に設定される。この結果、ＤＶＤレコーダ（２）４０の物理アドレスは「２．１．０．０」、ＤＶＤプレーヤ（１）５０の物理アドレスは「２．２．０．０」となる。図１に示すように、実装されているデジタル装置には以上のように決定された論理アドレスと物理アドレスが設定される。
【００１１】
本発明の第１の実施の形態である時刻情報取得コマンドの構成を図３に示す。時刻情報取得コマンドは、ＣＥＣのベンダーコマンドである。ベンダーコマンドとは、ＣＥＣを利用するメーカが独自に作成することができるコマンドである。本発明の第１の実施の形態である時刻情報取得コマンドには、時刻情報取得要求コマンドと時刻情報取得応答コマンドがあり、図３（ａ）に時刻情報取得要求コマンドの構成、図３（ｂ）に時刻情報取得応答コマンドの構成を示す。時刻情報取得要求コマンドと時刻情報取得応答コマンドには、ヘッダー部、コマンド部、ベンダーコマンド部、また時刻情報取得応答コマンドには更にパラメータ部が設けられている。各部には、各部のデータの終わりを示す「Ｅ」と各部のデータのＡＣＫ情報を示す「Ａ」が設けられている。時刻情報取得要求コマンドと時刻情報取得応答コマンドのヘッダー部には、コマンドを送信する送信元と送信先のデジタル装置の論理アドレスがセットされる。セットされる論理アドレスは、図２に示すアドレステーブルに設定されているデジタル装置の論理アドレスである。時刻情報取得要求コマンドと時刻情報取得応答コマンドのコマンド部には、このコマンドがベンダーコマンドであることを示すコード、ベンダーコマンド部には、ベンダーコマンドを識別するコードがセットされる。ベンダーコマンドを識別するコードは、時刻情報取得要求コマンドのときは時刻情報取得要求を示すコード、時刻情報取得応答コマンドのときは時刻情報取得応答を示すコードとなる。また、時刻情報取得応答コマンドのパラメータ部には、時刻情報である年月日、時分秒がセットされる。
【００１２】
次に、本発明の第１の実施の形態である時刻情報取得要求コマンドと時刻情報取得応答コマンドを送受信する手順について説明する。時計装置情報を要求するデジタルＴＶが時刻情報取得要求コマンドの各部のデータを順に指定されたデジタル装置に送信する。まず、デジタルＴＶは、時刻情報取得要求コマンドのヘッダ部のＡＣＫ情報をＨ(ハイレベル出力)とし送信する。時刻情報取得要求コマンドのヘッダ部を受信したデジタル装置は、時刻情報取得要求コマンドのヘッダ部のＡＣＫ情報をＬ(ローレベル出力)にしてデジタルＴＶに返信する。デジタルＴＶは、時刻情報取得要求コマンドのヘッダ部のＡＣＫ情報を確認し、Ｌであれば次に時刻情報取得要求コマンドのコマンド部を送信する。以上のような手順で、時刻情報取得要求コマンドは送信される。また、時刻情報取得要求コマンドの送信が完了すると、デジタル装置は時刻情報取得応答コマンドのヘッダ部のＡＣＫ情報をＨとし送信する。時刻情報取得応答コマンドのヘッダ部を受信したデジタルＴＶは、ヘッダ部のＡＣＫ情報をＬにしてデジタル装置に返信する。デジタル装置は、時刻情報取得応答コマンドのヘッダ部のＡＣＫ情報を確認し、Ｌであれば次に時刻情報取得応答コマンドのコマンド部を送信する。以上のような手順で、デジタルＴＶは時刻情報取得要求応答コマンドを受信する。
【００１３】
図４に本発明の第１の実施の形態である時刻表示システムの主要な構成を示す機能ブロック図を示す。図４の時刻表示システムの機能ブロック図は、デジタルＴＶ１０と、デジタルＴＶ１０にＨＤＭＩケーブルで接続されているデジタル装置１０５の主要な構成を示している。デジタルＴＶ１０は、ＨＤＭＩケーブルで接続されたネットワークの中心に位置し、周辺機器を含めた操作がデジタルＴＶ１０によって行われる。
【００１４】
以下に図４のデジタルＴＶ１０の主要な機能について説明する。図４に示すようにデジタルＴＶ１０は、デジタルチューナ１１０、ＴＳデコーダ１１１、音声処理部１１２、映像処理部１１３、ＯＳＤ処理部１１４、表示処理部１１５、マイコン（マイクロコンピュータ）１１６、時刻情報取得部１１７、クロックカウント処理部１１８、フラッシュメモリ１１９、リモコン（リモートコントローラ）受信部１２０、電源制御部１２１、電源１２２、ＨＤＭＩ受信部１２３、ＣＥＣ-Ｉ／Ｆ１２４、信号切替部１２５、システムバス１２６の機能を備えている。また、デジタルＴＶ１０にはＴＶモニタ１００、アンテナ１０１、リモコン１０２を備えている。更に、デジタルＴＶ１０とデジタル装置１０５は、ＨＤＭＩ回線１０３とＣＥＣ回線１０４で接続されている。なお、図４に示したデジタル装置１０５は１台としてあるが、このデジタル装置１０５は、図１のＤＶＤレコーダ（１）２０、オーディオシステム３０、ＤＶＤレコーダ（２）４０、ＤＶＤプレーヤ（１）５０を代表して記載したもので、実際のデジタル装置１０５は他のデジタル装置と接続するためのＨＤＭＩ受信部を更に備え、図１のような接続となっている。なお、クロックカウント処理部１１８は、本実施の形態では使用しないが後述の第２の実施の形態で使用するものである。
【００１５】
デジタルチューナ１１０は、アンテナ１０１にて受信される放送電波を復調してトランスポートストリームパケット（以下ＴＳパケットという）としてＴＳデコーダ１１１に出力する。ＴＳデコーダ１１１は、このＴＳパケットから所望の放送番組に関する映像データ及び音声データを抽出する。抽出された映像データ及び音声データは、ＭＰＥＧ−２によって符号化されているデジタルデータである。音声処理部１１２は符号化された音声データを復号化し、また、映像処理部１１３はこの符号化された映像データを復号化する。
【００１６】
音声処理部１１２は、復号化された音声データを信号切替部１２５を介してＴＶモニタ１００に出力する。信号切替部１２５がデジタルＴＶ１０に切り替えられていれば、ＴＶモニタ１００に出力された音声データは、ＴＶモニタ１００に設けられたスピーカから音声として出力される。表示処理部１１５は、映像処理部１１３にて復号化された映像データに、ＯＳＤ処理部１１４にて生成されるＯＳＤ表示のためのデータを表示処理部１１５で重ね合わせた後、その重ね合わせ後の映像データをテレビ信号に変換し信号切替部１２５を介してＴＶモニタ１００に出力する。信号切替部１２５がデジタルＴＶ１０に切り替えられていれば、ＴＶモニタ１００に出力された映像データは、ＴＶモニタ１００に表示される。
【００１７】
マイコン１１６はコンピュータ、メモリ、その他周辺回路を含む制御回路であり、デジタルＴＶの機能を実現するプログラムを実行することにより、ユーザによるリモコン１０２の電源オンオフの操作、映像信号の切り替え操作、放送チャンネル操作を受け付け、デジタルＴＶ１０を制御するようになっている。また、マイコン１１６は、デジタルＴＶ１０の機能を実現するプログラムを実行することにより、ＨＤＭＩ回線で接続されているデジタル装置から時刻情報を取得する機能である時刻情報取得部１１７を実現する。ユーザがリモコンからの時刻の表示操作を行うと、マイコン１１６は時刻情報取得部１１７に時刻情報取得処理の開始を通知する。また、マイコン１１６は、リモコン受信部１２０によりリモコン１０２からの映像信号の切り替え操作を受け付けると、信号切替部１２５に映像信号の切り替えを通知する。フラッシュメモリ１１９は、マイコン１１６が実行するプログラムやこのプログラムにて用いられるデータを一時的に記憶する書き換え可能な不揮発性メモリである。フラッシュメモリ１１９には、図２に示すアドレステーブルなどが記憶されている。
【００１８】
リモコン１０２は、リモコン１０２に設けられた操作ボタンに対するユーザの操作に応じて赤外線による操作信号を送信し、リモコン受信部１２０はこの操作信号を受信するようになっている。リモコン受信部１２０が受信した操作信号は、マイコン１１６に出力される。電源１２２は、電源が必要な箇所へ電源を供給する装置であり、電源制御部１２１により電源の供給が制御される。また、電源制御部１２１は、各機能部全てに電源を供給する動作状態とリモコン１０２から電源オンの操作を受け付け動作状態とすることができる待機状態の２つの電源モードで電源１２２を制御することができる。
【００１９】
ＨＤＭＩ受信部１２３は、デジタルＴＶ１０とＨＤＭＩ回線で接続されたデジタル装置１０５から送信される映像データや音声データを受信し、信号切替部１２５を介してＴＶモニタ１００に出力する。信号切替部１２５がデジタル装置１０５に切り替えられていれば、切り替えられたデジタル装置１０５からＴＶモニタ１００に送信された映像データは、ＴＶモニタ１００に表示される。また、信号切替部１２５がＨＤＭＩ回線(ＨＤＭＩケーブルで接続されたネットワーク)で接続されたデジタル装置１０５に切り替えられていれば、切り替えられたデジタル装置１０５からＴＶモニタ１００に送信された音声データは、ＴＶモニタ１００に設けられたスピーカから音声として出力される。ＣＥＣ-Ｉ／Ｆ１２４は、ＣＥＣ回線１０４でＣＥＣコマンドの送受信を行うインターフェースである。信号切替部１２５は、マイコン１１６から映像信号の切り替えを通知されると、この切り替え通知基づいてＴＶモニタ１００またはデジタル装置１０５に切り替える。以上の各機能部１１０〜１２４は、システムバス１２６により接続されている。
【００２０】
次に図４のデジタル装置１０５の主要な機能について説明する。図４に示すようにデジタル装置１０５は、マイコン１０５ａ、時刻情報送信部１０５ｂ、時刻情報入力部１０５ｃ、クロックカウント処理部１０５ｄ、ＨＤＭＩ送信部１０５ｅ、ＣＥＣ-Ｉ／Ｆ１０５ｆ、システムバス１０５ｇ、ＨＤＭＩ受信部１０５ｈの機能を備えている。また、デジタル装置１０５とデジタルＴＶ１０は、ＨＤＭＩ回線１０３とＣＥＣ回線１０４で接続されている。
【００２１】
マイコン１０５ａはコンピュータ、メモリ、その他周辺回路を含む制御回路であり、デジタル装置１０５を制御するようになっている。また、マイコン１０５ａは、デジタル装置１０５の機能を実現するプログラムを実行することにより、時刻情報をデジタルＴＶ１０に送信する機能である時刻情報送信部１０５ｂを実現する。時刻情報入力部１０５ｃは、一定周期で放送波から時刻情報を入力し、クロックカウント処理部１０５ｄに出力する。また、時刻情報入力部１０５ｃは、時刻情報送信部１０５ｂから要求があると、放送波から入力した時刻情報を時刻情報送信部１０５ｂに出力する。クロックカウント処理部１０５ｄは、デジタル装置１０５が備えている時計機能専用のクリスタル発振器を使用したクロックを発生させるとともに、時刻情報入力部１０５ｃから時刻情報を入力し、時計機能専用モジュールを使って時刻情報をリアルタイムに更新する。この更新された時刻情報はデジタルＴＶ１０の時刻情報取得部１１７からの要求に応じて、デジタルＴＶ１０側へ送られる。なお、時刻情報入力部１０５ｃは放送波に限らず、インターネットを介した時刻情報、時計機能を有した装置などから時刻情報、その他の伝送路から時刻情報を取得するようにすることもできる。
【００２２】
ＨＤＭＩ送信部１０５ｅは、ＨＤＭＩ回線１０３で接続されたデジタルＴＶ１０に映像データや音声データを送信する。ＣＥＣ-Ｉ／Ｆ１０５ｆは、ＣＥＣ回線１０４でＣＥＣコマンドの送受信を行うインターフェースである。以上の各機能部１０５ａ〜１０５ｆは、システムバス１０５ｇにより接続されている。また、ＨＤＭＩ受信部１０５ｈは、デジタル装置１０５と接続されている他のデジタル装置１０５から映像データや音声データを受信する。
【００２３】
図５は、本発明の第１の実施の形態である時刻情報取得部１１７が実行する時刻情報取得処理の流れを示すフローチャートである。図５の時刻情報取得処理フローチャートに示すステップ順に基づいて、時刻情報取得処理を説明する。
【００２４】
ユーザがデジタルＴＶ１０に対して、リモコン１０２から時刻の表示操作を行うと、リモコン受信部１２０が時刻表示要求の操作信号を受信し、マイコン１１６に出力する。マイコン１１６は、時刻表示要求の操作信号を入力すると、時刻情報取得部１１７に時刻情報取得処理の開始を通知する。これにより時刻情報取得部１１７は時刻情報取得処理を開始する。
【００２５】
（ステップＳ０）
時刻情報取得処理が開始されると、時刻情報取得部１１７は、優先順位を示すＰを初期化するために、Ｐに０をセットする。
【００２６】
（ステップＳ１）
時刻情報取得部１１７は、前回の時刻情報を取得したデジタル装置１０５の論理アドレスと図２に示すアドレステーブルをフラッシュメモリ１１９から取り出し、その論理アドレスに該当する物理アドレスをアドレステーブルから取り出す。そして取り出した物理アドレスが登録されているかを判定する。物理アドレスが登録されている(ステップＳ１のＹｅｓ）ときは、デジタル装置１０５に時刻情報取得要求コマンドを送信するステップＳ４に進む。また、物理アドレスが登録されていない未登録「Ｆ．Ｆ．Ｆ．Ｆ」(ステップＳ１のＮｏ)のときは、優先順位に従って時間情報を取り出すデジタル装置１０５を決定するステップＳ２に進む。
【００２７】
（ステップＳ２）
時刻情報取得部１１７は、優先順位に従って時間情報を取り出すデジタル装置１０５を決定するために、優先順位を示すＰに初期値１をセットする。
【００２８】
（ステップＳ３）
時刻情報取得部１１７は、優先順位Ｐに該当する物理アドレスをアドレステーブルから取り出す。そして取り出した物理アドレスが登録されているかを判定する。物理アドレスが登録されている(ステップＳ３のＹｅｓ）ときは、デジタル装置１０５に時刻情報取得要求コマンドを送信するステップＳ４に進む。また、物理アドレスが登録されていない未登録「Ｆ．Ｆ．Ｆ．Ｆ」(ステップＳ３のＮｏ)のときは、優先順位を更新するステップＳ１１に進む。例えば、優先順位Ｐが１であるときは、アドレステーブルの優先順位Ｐ＝１に該当するＤＶＤレコーダ（１）の物理アドレスは「１．０．０．０」であるので、物理アドレスは登録されているのでステップＳ４に進む。また、優先順位Ｐが４であるときは、アドレステーブルの優先順位Ｐ＝４に該当する物理アドレスは「Ｆ．Ｆ．Ｆ．Ｆ」であるので、物理アドレスは未登録なのでステップＳ１１に進む。
【００２９】
（ステップＳ４）
時刻情報取得部１１７は、図３（ａ）に示す時刻情報取得要求コマンドの送信元にデジタルＴＶ１０の論理アドレス、送信先に時刻情報を取り出すデジタル装置１０５の論理アドレスをセットし、時刻情報取得要求コマンドをデジタル装置１０５に送信する。マイコン１１６は、時刻情報取得部１１７が送信した時刻情報取得要求コマンドを、ＣＥＣ−Ｉ／Ｆ１２４に出力する。ＣＥＣ−Ｉ／Ｆ１２４は、ＣＥＣ回線１０４を経由してデジタル装置１０５に時刻情報取得要求コマンドを送信する。
【００３０】
（ステップＳ５）
時刻情報取得部１１７は、ステップＳ４で送信した時刻情報取得要求コマンドの応答である時刻情報取得応答コマンドを受信するまでのタイマ時間を設定し、タイマ時間監視を開始する。
【００３１】
（ステップＳ６）
時刻情報取得部１１７は、デジタル装置１０５が正常に時刻情報取得要求コマンドを受信したかを確認するために、時刻情報取得要求コマンドの各部のＡＣＫ情報についてＬであるかを判定する。時刻情報取得要求コマンドの各部のＡＣＫ情報がＬである(ステップＳ６のＹｅｓ)ときは、時刻情報取得要求コマンドの送信が完了したので、時刻情報取得部１１７は時刻情報取得応答コマンドを受信したかを判定するステップＳ７に進む。また、時刻情報取得要求コマンドの各部のＡＣＫ情報がＨである(ステップＳ６のＮｏ)ときは、時刻情報取得要求コマンドの受信が不可なので優先順位を更新するステップＳ１１に進む。
【００３２】
（ステップＳ７）
時刻情報取得部１１７は、図３（ｂ）に示す時刻情報取得応答コマンドの各部の全てのバイト数を受信したかを判定する。時刻情報取得応答コマンドの各部の全てのバイト数を受信している(ステップＳ７のＹｅｓ)ときは、取得した時刻情報が正常かを判定するステップＳ１０に進む。また、時刻情報取得応答コマンドの各部の全てのバイト数を受信していない(ステップＳ７のＮｏ)ときは、時刻情報取得応答コマンドの各部の全てのバイト数を受信するまでのタイマ時間が経過しているかを判定するステップＳ８に進む。
【００３３】
（ステップＳ８）
時刻情報取得部１１７は、ステップＳ５で設定した時刻情報取得応答コマンドを受信するまでのタイマ時間が経過しているかを判定する。タイマ時間が経過している(ステップＳ８のＹｅｓ）ときは、優先順位を更新するステップＳ１１に進む。また、タイマ時間が経過していない(ステップＳ８のＮｏ)ときは、一定時間待ち状態とするステップＳ９に進む。
【００３４】
（ステップＳ９）
時刻情報取得部１１７は、予め決められた一定時間待ち状態とし、時刻情報取得応答コマンドを受信したかを判定するステップＳ７に戻る。
【００３５】
（ステップＳ１０）
時刻情報取得部１１７は、デジタル装置１０５から送信された時刻情報取得応答コマンドのパラメータ部から年号、月、日、時、分、秒の時刻情報を取り出し、時刻情報が正常であるかを判定する。時刻情報が正常である(ステップＳ１０のＹｅｓ)ときは、取得した時刻情報の時刻データをＯＳＤ処理部１１４に出力し、ステップＳ１４に進む。また、取得した時刻情報が正常でない(ステップＳ１０のＮｏ)ときは、デジタル装置１０５にエラー情報を伝えるＣＥＣのコマンドを送信し、優先順位を更新するステップＳ１１に進む。
【００３６】
（ステップＳ１１）
時刻情報取得部１１７は、優先順位Ｐに１を加算し、優先順位を更新する。
【００３７】
（ステップＳ１２）
時刻情報取得部１１７は、優先順位Ｐが優先順位の最大値ｎより大きいかを判定する。優先順位Ｐが優先順位の最大値ｎより大きい(ステップＳ１２のＹｅｓ）ときは、時刻情報取得エラーをＴＶモニタ１００に表示するステップＳ１３に進む。また、優先順位Ｐが優先順位の最大値ｎ以下である(ステップＳ１２のＮｏ）ときは、優先順位Ｐに該当する物理アドレスが登録されているかを判定するステップＳ３に戻る。
【００３８】
（ステップＳ１３）
時刻情報取得部１１７は、ＯＳＤ処理部１１４に時刻情報取得エラーの表示要求を出力する。ＯＳＤ処理部１１４は、時刻情報取得エラーの表示要求を入力すると時刻情報取得エラー画面を生成し、表示処理部１１５に出力する。表示処理部１１５は、映像処理部１１３にて復号化された映像データにＯＳＤ処理部１１４にて生成された時刻情報取得エラー画面の重ね合わせを行い、その重ね合わせた映像データをテレビジョン信号に変換し信号切替部１２５を介してＴＶモニタ１００に表示する。例えば「時刻情報は取得できませんでした」等の表示がなされる。
【００３９】
（ステップＳ１４）
時刻情報取得部１１７は、受信した時刻情報取得応答コマンドのヘッダー部の送信元から論理アドレスを取り出す。この取り出した論理アドレスが、時刻情報を送信したデジタル装置１０５の論理アドレスである。時刻情報取得部１１７は、その論理アドレスをフラッシュメモリ１１９に記憶し、保存する。
【００４０】
（ステップＳ１５）
時刻情報取得部１１７は、ＯＳＤ処理部１１４に時刻の表示要求を出力する。ＯＳＤ処理部１１４は、表示要求を入力すると、時刻情報取得部１１７から出力された時刻データに基づいて時刻表示画面を生成すると、表示処理部１１５に出力する。表示処理部１１５は、映像処理部１１３にて復号化された映像データにＯＳＤ処理部１１４にて生成された時刻表示画面を重ね合わせを行い、その重ね合わせた映像データをテレビジョン信号に変換し信号切替部１２５を介してＴＶモニタ１００に表示する。所定時間経過したら時刻表示を消去するようにしてもよい。時刻情報取得部１１７は、時刻情報取得処理を終了する。
【００４１】
このような本発明の第１の実施の形態によれば、時計機能を搭載しないデジタル機器から時刻の表示要求を行うと、このデジタル機器と接続されている他のデジタル機器が放送波などから時刻情報を取得する機能を搭載しているときに、このデジタル機器から時刻情報を取得し、ソフトウェア処理のみで時刻を表示手段(ＴＶモニタ１００)に表示することができる。したがって、デジタルＴＶ１０は、内部に時計機能専用の回路(時計機能専用モジュール等)を備える必要がなく、コストアップを避けることができる。
【００４２】
（第２の実施の形態）
本発明の第２の実施の形態は、ユーザが時計機能を搭載しないデジタルＴＶにおいてそのリモコンから時刻の表示操作または電源オンの操作を受けて、時刻表示の処理を開始し、他のデジタル機器から時刻情報を取得し、表示手段(ＴＶモニタ１００)に時刻表示を行うものである。以下に、本発明の第２の実施の形態において、本発明の第１の実施の形態と異なる箇所について説明する。
【００４３】
ユーザが時計機能を搭載しないデジタルＴＶのリモコンから時刻の表示操作または電源オンを行うと、このデジタルＴＶから時刻情報取得要求コマンドを、デジタルＴＶと接続されているデジタル装置に送信する。デジタルＴＶは、デジタル装置から受信したＣＥＣの時刻情報取得応答コマンドから時刻情報を取り出し、デジタルＴＶのマイコンのシステムクロックを使って時刻情報を更新することができる。以降、デジタルＴＶは、電源がオフされるまでデジタルＴＶのクロックカウント処理により時間情報を更新する。
【００４４】
本発明の第２の実施の形態である時刻表示システムの主要な構成を示す機能ブロック図は、図４に示す本発明の第１の実施の形態である時刻表示システムの主要な構成を示す機能ブロック図と同様である。前述したように、クロックカウント処理部１１８は、第２の実施の形態で使用するものである。クロックカウント処理部１１８は、マイコン１１６が備えているクロックカウントにより時刻を更新する機能であり、マイコン１１６の基本機能であるプログラムを実行することにより実現される。
【００４５】
図６は、本発明の第２の実施の形態である時刻情報取得部１１７が実行する時刻情報取得処理の流れを示すフローチャートである。以下、図５の本発明の第１の実施の形態の時刻情報取得処理フローチャートと異なるステップについて説明する。
【００４６】
ユーザがリモコン１０２からの時刻の表示操作を行うと、マイコン１１６は時刻情報取得部１１７に時刻情報取得処理の開始を通知し、時刻情報取得部１１７は時刻情報取得処理を開始する。時刻の表示操作は、リモコン１０２からの操作によらず定期的なトリガ信号により時刻表示要求信号を発生させるようにして時刻情報取得処理を開始するようにしてもよい。あるいは、待機状態の電源モードとなっているデジタルＴＶ１０に対して、リモコン１０２からリモコン受信部１２０が電源オンの操作信号を受信したときに時刻情報取得処理を開始するようにしてもよい。
【００４７】
（ステップＳ０１）
時刻情報取得部１１７は、電源オン後の初めての表示要求であるかを判定する。時刻情報取得部１１７が電源オンの操作により時刻情報取得処理を開始したときは、初めての表示要求とみなされる。初めての表示要求である(ステップＳ０１のＹｅｓ)ときは、前回の取得先のデジタル装置の物理アドレスが登録されているかを判定するステップＳ１に進む。また、初めての表示要求でない(ステップＳ０１のＮｏ)ときは、クロックカウント処理部１１８から時刻データを取り出すステップＳ０２に進む。
【００４８】
（ステップＳ０２）
時刻情報取得部１１７は、クロックカウント処理部１１８から時刻データを取り出し、取取り出した時刻データをＯＳＤ処理部１１４に出力し、ステップＳ１５に進む。
(以降のステップＳ１からステップＳ１５までの処理は、第１の実施の形態における処理と同様である。)
【００４９】
（ステップＳ１６）
時刻情報取得部１１７は、取得した時刻情報の時刻データをクロックカウント処理部１１８に出力し、クロックカウント処理部１１８の時刻更新処理を動作させる。クロックカウント処理部１１８は時刻データを入力し、時刻の更新処理を開始する。
【００５０】
このような本発明の第２の実施の形態によれば、時計機能を搭載しないデジタル機器から時刻の表示操作、または時計機能を搭載しないデジタル機器の電源のオンを行うと、このデジタル機器と接続されている他のデジタル機器が放送波などから時刻情報を取得する機能を搭載しているときに、このデジタル機器から時刻情報を取得し、取得した時刻情報をシステムクロックに基づきソフトウェア処理のみによって更新し、時計機能を搭載しないデジタル機器に時刻を表示できる。更に、以降時刻の表示要求があると電源がオフされるまでデジタル機器のクロックカウント処理で更新した時刻情報の時刻を表示することができる。また、本実施の形態によれば、一度時刻情報を取得すれば自力で時刻の更新ができるので、通信ラインの混み具合により、時刻表示要求に対する他のデジタル装置からの応答に時間がかかるような場合には好適である。更に、定期的なトリガ信号により時刻表示要求信号を発生させて時刻情報取得処理を開始するようにすれば、一度時刻情報を取得するとそれ以降、リアルタイムに時刻を表示することができる。
【００５１】
本発明の実施の形態の説明において、映像信号処理装置は、デジタルＴＶに搭載されているとしたが、これに限定されず、デジタルＴＶの代わりに他の映像信号処理装置に一般に適用が可能である。また、本発明は、時計機能を搭載しないデジタル機器において、このデジタル機器と接続されている他のデジタル機器が放送波などから時刻情報を取得する機能を搭載しているときに、このデジタル機器から時刻情報を取得し、時計機能を搭載しないデジタル機器に時刻の表示を実現することができる。また、上記実施の形態ではデジタル機器について説明したが、上記デジタル機器に限らず一般のアナログの電子機器でも適用することができる。例えば、ＣＥＣのコントロールはＨＤＭＩケーブルを利用し、映像信号の映像と音声は別のアナログケーブルを利用することが可能である。
【００５２】
本実施の形態は、映像信号処理装置、時刻表示システム、及び映像信号処理装置の時刻表示方法に好適であるが、これに限られるものではなく、電子装置一般に適用可能である。
【図面の簡単な説明】
【００５３】
【図１】本発明の第１の実施の形態であるデジタル装置の接続状態を示す接続図である。
【図２】本発明の第１の実施の形態であるデジタル装置の論理アドレス、装置名称、物理アドレスを示すアドレステーブルである。
【図３】本発明の第１の実施の形態である時刻情報取得コマンドの構成を示す時刻情報取得コマンド構成図である。
【図４】本発明の第１の実施の形態である時刻表示システムの主要な構成を示す機能ブロック図である。
【図５】本発明の第１の実施の形態である時刻情報取得処理の流れを示す時刻情報取得処理フローチャートである。
【図６】本発明の第２の実施の形態である時刻情報取得処理の流れを示す時刻情報取得処理フローチャートである。
【符号の説明】
【００５４】
１０・・・デジタルＴＶ
２０・・・ＤＶＤレコーダ（１）
３０・・・オーディオシステム
４０・・・ＤＶＤレコーダ（２）
５０・・・ＤＶＤプレーヤ（１）
１００・・・ＴＶモニタ
１０１・・・アンテナ
１０２・・・リモコン
１０３・・・ＨＤＭＩ回線
１０４・・・ＣＥＣ回線
１０５・・・デジタル装置
１０５ａ・・マイコン
１０５ｂ・・時刻情報送信部
１０５ｃ・・時刻情報入力部
１０５ｄ・・クロックカウント処理部
１０５ｅ・・ＨＤＭＩ送信部
１０５ｆ・・ＣＥＣ−Ｉ／Ｆ
１０５ｇ・・システムバス
１０５ｈ・・ＨＤＭＩ受信部
１１０・・・デジタルチューナ
１１１・・・ＴＳデコーダ
１１２・・・音声処理部
１１３・・・映像処理部
１１４・・・ＯＳＤ処理部
１１５・・・表示処理部
１１６・・・マイコン
１１７・・・時刻情報取得部
１１８・・・クロックカウント処理部
１１９・・・フラッシュメモリ
１２０・・・リモコン受信部
１２１・・・電源制御部
１２２・・・電源
１２３・・・ＨＤＭＩ受信部
１２４・・・ＣＥＣ−Ｉ／Ｆ
１２５・・・信号切替部
１２６・・・システムバス
【図１】
2010019709.tif 000003
【図２】
2010019709.tif 000004
【図３】
2010019709.tif 000005
【図４】
2010019709.tif 000006
【図５】
2010019709.tif 000007
【図６】
2010019709.tif 000008